(57)【要約】【課題】  手帳のリフィル情報を端末に簡単かつ効率的に取り込むことができ、更に端末のカレンダーアプリ又は写真アプリと連動して利便性を向上させた端末、端末の使用方法及び手帳アプリケーションを提供する。【解決手段】  リフィルアプリを起動して、端末１０の付属カメラ１３でリフィル１を撮影すると、リフィル画像データを取り込み、リフィル１に印刷されたリフィル管理コードを認識し、リフィルの属性情報に応じてリフィル画像データを分類して記憶し、端末１０のカレンダー（スケジュール）機能で登録されているイベントをリフィル画像データの対応する日付にイベントマークで表示し、写真データが撮影日付で登録されていると、当該写真をリフィル画像データの対応する日付に写真マークで表示する端末、端末の使用方法及び手帳アプリケーションである。【選択図】        図１
2015043212.tif 000002
【特許請求の範囲】
【請求項１】
リフィルには、バインダーの商品シリーズの種類、当該バインダーのサイズ、リフィルの商品のタイプ及びリフィルの年月日の情報を含む管理コードが付され、カメラで前記リフィルが撮影されてリフィルの画像データを取り込む端末であって、
リフィルの画像データを管理する手帳アプリケーションを記憶する記憶部と、前記手帳アプリケーションを実行する制御部と、実行された前記手帳アプリケーションの処理内容を表示する表示部とを備え、
前記制御部で前記手帳アプリケーションを実行させて実現する手段として、
撮影するリフィルの少なくともバインダーの商品シリーズとサイズを登録する初期設定手段と、
前記登録されたサイズに対応して最適化された撮影ガイドを前記表示部に表示し、前記撮影ガイドに合わせてリフィルが撮影されると、リフィルの画像データを取り込み、前記サイズに応じて前記リフィルの画像データの補正を行うと共に、前記管理コードを読み取って前記リフィルの月間、週間又は日間のカテゴリー、前記リフィルの商品のタイプ、及び前記リフィルのページ対象となる月、週又は日の期間の情報を属性情報として関連付けて前記記憶部に記憶する撮影手段と、
前記属性情報における前記リフィルの期間の情報を基にリフィルの画像データを検索して前記表示部に表示する検索手段と、
リフィルのカテゴリーを選択するボタンを表示し、前記ボタンの操作によりリフィルのカテゴリーが選択されると、選択されたリフィルのカテゴリーに応じてリフィルの画像データを切り替えて表示するリフィル表示手段とを有し、
前記リフィル表示手段が、表示されるリフィルの画像データの日付に、カレンダーアプリケーションによってイベント情報が登録されている場合に、前記リフィルの画像データを表示したリフィル画像における日付の欄にイベントマークを表示することを特徴とする端末。
【請求項２】
前記制御部で手帳アプリケーションを実行させて実現する手段として、
イベントマークが表示された日付の欄部分が選択されると、当該日付に対応するイベント情報を表示するイベント表示手段を有することを特徴とする請求項１記載の端末。
【請求項３】
リフィルには、バインダーの商品シリーズの種類、当該バインダーのサイズ、リフィルの商品のタイプ及びリフィルの年月日の情報を含む管理コードが付され、カメラで前記リフィルが撮影されてリフィルの画像データを取り込む端末であって、
リフィルの画像データを管理する手帳アプリケーションを記憶する記憶部と、前記手帳アプリケーションを実行する制御部と、実行された前記手帳アプリケーションの処理内容を表示する表示部とを備え、
前記制御部で前記手帳アプリケーションを実行させて実現する手段として、
撮影するリフィルの少なくともバインダーの商品シリーズとサイズを登録する初期設定手段と、
前記登録されたサイズに対応して最適化された撮影ガイドを前記表示部に表示し、前記撮影ガイドに合わせてリフィルが撮影されると、リフィルの画像データを取り込み、前記サイズに応じて前記リフィルの画像データの補正を行うと共に、前記管理コードを読み取って前記リフィルの月間、週間又は日間のカテゴリー、前記リフィルの商品のタイプ、及び前記リフィルのページ対象となる月、週又は日の期間の情報を属性情報として関連付けて前記記憶部に記憶する撮影手段と、
前記属性情報における前記リフィルの期間の情報を基にリフィルの画像データを検索して前記表示部に表示する検索手段と、
リフィルのカテゴリーを選択するボタンを表示し、前記ボタンの操作によりリフィルのカテゴリーが選択されると、選択されたリフィルのカテゴリーに応じてリフィルの画像データを切り替えて表示するリフィル表示手段とを有し、
前記リフィル表示手段が、表示されるリフィルの画像データの日付に、写真アプリケーションによって写真データが登録されている場合に、前記リフィルの画像データを表示したリフィル画像における日付の欄に写真マークを表示することを特徴とする端末。
【請求項４】
前記制御部で手帳アプリケーションを実行させて実現する手段として、
写真マークが表示された日付の欄部分が選択されると、当該日付に撮影日が対応する写真データを表示する写真表示手段を有することを特徴とする請求項３記載の端末。
【請求項５】
リフィルには、バインダーの商品シリーズの種類、当該バインダーのサイズ、リフィルの商品のタイプ及びリフィルの年月日の情報を含む管理コードが付され、カメラで前記リフィルが撮影されてリフィルの画像データを取り込む端末であって、
リフィルの画像データを管理する手帳アプリケーションを記憶する記憶部と、前記手帳アプリケーションを実行する制御部と、実行された前記手帳アプリケーションの処理内容を表示する表示部とを備え、
前記制御部で前記手帳アプリケーションを実行させて実現する手段として、
撮影するリフィルの少なくともバインダーの商品シリーズとサイズを登録する初期設定手段と、
前記登録されたサイズに対応して最適化された撮影ガイドを前記表示部に表示し、前記撮影ガイドに合わせてリフィルが撮影されると、リフィルの画像データを取り込み、前記サイズに応じて前記リフィルの画像データの補正を行うと共に、前記管理コードを読み取って前記リフィルの月間、週間又は日間のカテゴリー、前記リフィルの商品のタイプ、及び前記リフィルのページ対象となる月、週又は日の期間の情報を属性情報として関連付けて前記記憶部に記憶する撮影手段と、
前記属性情報における前記リフィルの期間の情報を基にリフィルの画像データを検索して前記表示部に表示する検索手段と、
リフィルのカテゴリーを選択するボタンを表示し、前記ボタンの操作によりリフィルのカテゴリーが選択されると、選択されたリフィルのカテゴリーに応じてリフィルの画像データを切り替えて表示するリフィル表示手段とを有し、
前記リフィル表示手段が、表示されるリフィルの画像データの日付に、添付ファイルのデータが登録されている場合に、前記リフィルの画像データを表示したリフィル画像における日付の欄に添付ファイルマークを表示することを特徴とする端末。
【請求項６】
前記制御部で手帳アプリケーションを実行させて実現する手段として、
添付ファイルマークが表示された日付の欄部分が選択されると、当該日付に登録された設定日が対応する添付ファイルのデータを表示する添付ファイル表示手段を有することを特徴とする請求項５記載の端末。
【請求項７】
リフィルには、バインダーの商品シリーズの種類、当該バインダーのサイズ、リフィルの商品のタイプ及びリフィルの年月日の情報を含む管理コードが付され、カメラで前記リフィルが撮影されてリフィルの画像データを取り込む端末の使用方法であって、
制御部で手帳アプリケーションを起動させ、
撮影するリフィルの少なくともバインダーの商品シリーズとサイズの登録を受け付ける初期設定処理ステップと、
前記登録されるサイズに対応して最適化された撮影ガイドを表示部に表示し、前記撮影ガイドに合わせてリフィルが撮影されると、リフィルの画像データを取り込み、前記サイズに応じて前記リフィルの画像データの補正を行うと共に、前記管理コードを読み取って前記リフィルの月間、週間又は日間のカテゴリー、前記リフィルの商品のタイプ、及び前記リフィルのページ対象となる月、週又は日の期間の情報を属性情報として関連付けて記憶部に記憶する撮影処理ステップと、
前記属性情報における前記リフィルの期間の情報を基にリフィルの画像データを検索して表示部に表示する検索処理ステップと、
リフィルの画像データを表示する際に、表示されるリフィルの画像データの日付に、カレンダーアプリケーションによってイベント情報が登録されている場合に、前記リフィルの画像データを表示したリフィル画像における日付の欄にイベントマークを表示するイベントマーク表示処理ステップとを有することを特徴とする端末の使用方法。
【請求項８】
イベントマークが表示された日付の欄部分が選択されると、当該日付に対応するイベント情報を表示するイベント表示処理ステップを有することを特徴とする請求項７記載の端末の使用方法。
【請求項９】
リフィルには、バインダーの商品シリーズの種類、当該バインダーのサイズ、リフィルの商品のタイプ及びリフィルの年月日の情報を含む管理コードが付され、カメラで前記リフィルが撮影されてリフィルの画像データを取り込む端末の使用方法であって、
制御部で手帳アプリケーションを起動させ、
撮影するリフィルの少なくともバインダーの商品シリーズとサイズの登録を受け付ける初期設定処理ステップと、
前記登録されるサイズに対応して最適化された撮影ガイドを表示部に表示し、前記撮影ガイドに合わせてリフィルが撮影されると、リフィルの画像データを取り込み、前記サイズに応じて前記リフィルの画像データの補正を行うと共に、前記管理コードを読み取って前記リフィルの月間、週間又は日間のカテゴリー、前記リフィルの商品のタイプ、及び前記リフィルのページ対象となる月、週又は日の期間の情報を属性情報として関連付けて記憶部に記憶する撮影処理ステップと、
前記属性情報における前記リフィルの期間の情報を基にリフィルの画像データを検索して表示部に表示する検索処理ステップと、
リフィルの画像データを表示する際に、表示されるリフィルの画像データの日付に、写真アプリケーションによって写真データが登録されている場合に、前記リフィルの画像データを表示したリフィル画像における日付の欄に写真マークを表示する写真マーク表示処理ステップとを有することを特徴とする端末の使用方法。
【請求項１０】
写真マークが表示された日付の欄部分が選択されると、当該日付に撮影日が対応する写真データを表示する写真表示処理ステップを有することを特徴とする請求項９記載の端末の使用方法。
【請求項１１】
リフィルには、バインダーの商品シリーズの種類、当該バインダーのサイズ、リフィルの商品のタイプ及びリフィルの年月日の情報を含む管理コードが付され、カメラで前記リフィルが撮影されてリフィルの画像データを取り込む端末の使用方法であって、
制御部で手帳アプリケーションを起動させ、
撮影するリフィルの少なくともバインダーの商品シリーズとサイズの登録を受け付ける初期設定処理ステップと、
前記登録されるサイズに対応して最適化された撮影ガイドを表示部に表示し、前記撮影ガイドに合わせてリフィルが撮影されると、リフィルの画像データを取り込み、前記サイズに応じて前記リフィルの画像データの補正を行うと共に、前記管理コードを読み取って前記リフィルの月間、週間又は日間のカテゴリー、前記リフィルの商品のタイプ、及び前記リフィルのページ対象となる月、週又は日の期間の情報を属性情報として関連付けて記憶部に記憶する撮影処理ステップと、
前記属性情報における前記リフィルの期間の情報を基にリフィルの画像データを検索して表示部に表示する検索処理ステップと、
リフィルの画像データを表示する際に、表示されるリフィルの画像データの日付に、添付ファイルのデータが登録されている場合に、前記リフィルの画像データを表示したリフィル画像における日付の欄に添付ファイルマークを表示する添付マーク表示処理ステップとを有することを特徴とする端末の使用方法。
【請求項１２】
添付ファイルマークが表示された日付の欄部分が選択されると、当該日付に登録された設定日が対応する添付ファイルのデータを表示する添付ファイル表示処理ステップを有することを特徴とする請求項１１記載の端末の使用方法。
【請求項１３】
リフィルには、バインダーの商品シリーズの種類、当該バインダーのサイズ、リフィルの商品のタイプ及びリフィルの年月日の情報を含む管理コードが付され、カメラで前記リフィルが撮影されてリフィルの画像データを取り込む端末で動作する手帳アプリケーションであって、
前記端末に、
撮影するリフィルの少なくともバインダーの商品シリーズとサイズを登録する初期設定手段、
前記登録されたサイズに対応して最適化された撮影ガイドを表示部に表示し、前記撮影ガイドに合わせてリフィルが撮影されると、リフィルの画像データを取り込み、前記サイズに応じて前記リフィルの画像データの補正を行うと共に、前記管理コードを読み取って前記リフィルの月間、週間又は日間のカテゴリー、前記リフィルの商品のタイプ、及び前記リフィルのページ対象となる月、週又は日の期間の情報を属性情報として関連付けて記憶部に記憶する撮影手段、
前記属性情報における前記リフィルの年月日の情報を基にリフィルの画像データを検索して表示部に表示する検索手段、
リフィルのカテゴリーを選択するボタンを表示し、前記ボタンの操作によりリフィルのカテゴリーが選択されると、選択されたリフィルのカテゴリーに応じてリフィルの画像データを切り替えて表示すると共に、表示されるリフィルの画像データの日付に、カレンダーアプリケーションによってイベント情報が登録されている場合に、前記リフィルの画像データを表示したリフィル画像における日付の欄にイベントマークを表示するリフィル表示手段として機能させるための手帳アプリケーション。
【請求項１４】
前記端末に、
イベントマークが表示された日付の欄部分が選択されると、当該日付に対応するイベント情報を表示するイベント表示手段として機能させるための請求項１３記載の手帳アプリケーション。
【請求項１５】
リフィルには、バインダーの商品シリーズの種類、当該バインダーのサイズ、リフィルの商品のタイプ及びリフィルの年月日の情報を含む管理コードが付され、カメラで前記リフィルが撮影されてリフィルの画像データを取り込む端末で動作する手帳アプリケーションであって、
前記端末に、
撮影するリフィルの少なくともバインダーの商品シリーズとサイズを登録する初期設定手段、
前記登録されたサイズに対応して最適化された撮影ガイドを表示部に表示し、前記撮影ガイドに合わせてリフィルが撮影されると、リフィルの画像データを取り込み、前記サイズに応じて前記リフィルの画像データの補正を行うと共に、前記管理コードを読み取って前記リフィルの月間、週間又は日間のカテゴリー、前記リフィルの商品のタイプ、及び前記リフィルのページ対象となる月、週又は日の期間の情報を属性情報として関連付けて記憶部に記憶する撮影手段、
前記属性情報における前記リフィルの年月日の情報を基にリフィルの画像データを検索して表示部に表示する検索手段、
リフィルのカテゴリーを選択するボタンを表示し、前記ボタンの操作によりリフィルのカテゴリーが選択されると、選択されたリフィルのカテゴリーに応じてリフィルの画像データを切り替えて表示すると共に、表示されるリフィルの画像データの日付に、写真アプリケーションによって写真データが登録されている場合に、前記リフィルの画像データを表示したリフィル画像における日付の欄に写真マークを表示するリフィル表示手段として機能させるための手帳アプリケーション。
【請求項１６】
前記端末に、
写真マークが表示された日付の欄部分が選択されると、当該日付に撮影日が対応する写真データを表示する写真表示手段として機能させるための請求項１５記載の手帳アプリケーション。
【請求項１７】
リフィルには、バインダーの商品シリーズの種類、当該バインダーのサイズ、リフィルの商品のタイプ及びリフィルの年月日の情報を含む管理コードが付され、カメラで前記リフィルが撮影されてリフィルの画像データを取り込む端末で動作する手帳アプリケーションであって、
前記端末に、
撮影するリフィルの少なくともバインダーの商品シリーズとサイズを登録する初期設定手段、
前記登録されたサイズに対応して最適化された撮影ガイドを表示部に表示し、前記撮影ガイドに合わせてリフィルが撮影されると、リフィルの画像データを取り込み、前記サイズに応じて前記リフィルの画像データの補正を行うと共に、前記管理コードを読み取って前記リフィルの月間、週間又は日間のカテゴリー、前記リフィルの商品のタイプ、及び前記リフィルのページ対象となる月、週又は日の期間の情報を属性情報として関連付けて記憶部に記憶する撮影手段、
前記属性情報における前記リフィルの年月日の情報を基にリフィルの画像データを検索して表示部に表示する検索手段、
リフィルのカテゴリーを選択するボタンを表示し、前記ボタンの操作によりリフィルのカテゴリーが選択されると、選択されたリフィルのカテゴリーに応じてリフィルの画像データを切り替えて表示すると共に、表示されるリフィルの画像データの日付に、添付ファイルのデータが登録されている場合に、前記リフィルの画像データを表示したリフィル画像における日付の欄に添付ファイルマークを表示するリフィル表示手段として機能させるための手帳アプリケーション。
【請求項１８】
前記端末に、
添付ファイルマークが表示された日付の欄部分が選択されると、当該日付に登録された設定日が対応する添付ファイルのデータを表示する添付ファイル表示手段として機能させるための請求項１７記載の手帳アプリケーション。
【発明の詳細な説明】
【技術分野】
【０００１】
本発明は、紙のリフィルを撮影して電子データとして取り込む端末に係り、特に、リフィルの管理が容易で、端末のスケジュールアプリや写真アプリと連動する端末、端末の使用方法及び手帳アプリケーションに関する。
【背景技術】
【０００２】
［従来の技術］
従来のメモ等の紙の情報をスマートフォンの携帯端末のカメラで撮影して、携帯端末の電子データとして取り込むものがある。
【０００３】
例えば、ノートの四隅に特殊なマーク（シンボル）を印刷し、スマートフォンのカメラで撮影すると、そのマークをノートの四隅と認識して画像補正を行い、補正された画像データをスマートフォンの画像データとして保存するものがある。
【０００４】
また、ノートより大きい黒の表紙を下にし、その上にノートを載せて黒枠を形成し、その黒枠を含めてスマートフォンのカメラで撮影し、黒枠部分を認識して画像補正を行って、補正された画像データを保存するものがある。
【０００５】
また、月間のスケジュール等の手帳について、見開き状態で左ページ、右ページの順でスマートフォンのカメラで読み込んで月間のスケジュールを画像データとしてスマートフォンに保存するものがある。
【０００６】
［先行技術文献］
尚、関連する先行技術文献として、特開２０１２−０６９０８２号公報「画像処理システムとそれに用いる撮影対象物」（株式会社キングジム）［特許文献１］、特開２００７−２０１９４８号公報「撮像装置、画像処理方法及びプログラム」（カシオ計算機株式会社）［特許文献２］、特開平０７−７２５４６号公報「カメラ一体型情報処理装置」（コニカ株式会社）［特許文献３］、特開２０１２−０３８０９３号公報「電子手帳用テンプレート、電子手帳、電子手帳用テンプレートのデータ記録媒体」（有限会社デルフィーノ）［特許文献４］がある。
【０００７】
特許文献１には、画像処理システムにおいて、ドキュメント用紙に位置決めシンボルを印刷しておき、スマートフォンのカメラで撮影したときに、位置決めシンボルを基準に画像処理を行うことが示されている。
【０００８】
また、特許文献２には、撮影装置において、撮影した画像の歪みを補正することが示され、特許文献３には、情報処理装置において、カメラ一体型電子手帳機能を備えることが示され、特許文献４には、電子手帳の装置において、表示されるカレンダーでは紙の背景画像を表示することが示されている。
【先行技術文献】
【特許文献】
【０００９】
【特許文献１】特開２０１２−０６９０８２号公報
【特許文献２】特開２００７−２０１９４８号公報
【特許文献３】特開平０７−７２５４６号公報
【特許文献４】特開２０１２−０３８０９３号公報
【発明の概要】
【発明が解決しようとする課題】
【００１０】
しかしながら、上記従来の製品では、ノート等の画像を端末に読み込むには問題はないが、スケジュール機能を利用する手帳のリフィル情報を、そのスケジュール機能を生かして端末に取り込むのが簡単かつ効率的に行うことができず、更に端末のカレンダーアプリ又は写真アプリと連動するという発想がなく、利便性に欠けるという問題点があった。
【００１１】
［発明の目的］
本発明は上記実状に鑑みて為されたものであり、手帳のリフィル情報を端末に簡単かつ効率的に取り込むことができ、更に端末のカレンダーアプリ又は写真アプリと連動して利便性を向上させた端末、端末の使用方法及び手帳アプリケーションを提供することを目的とする。
【課題を解決するための手段】
【００１２】
上記従来例の問題点を解決するための本発明は、リフィルには、バインダーの商品シリーズの種類、当該バインダーのサイズ、リフィルの商品のタイプ及びリフィルの年月日の情報を含む管理コードが付され、カメラでリフィルが撮影されてリフィルの画像データを取り込む端末であって、リフィルの画像データを管理する手帳アプリケーションを記憶する記憶部と、手帳アプリケーションを実行する制御部と、実行された手帳アプリケーションの処理内容を表示する表示部とを備え、制御部で手帳アプリケーションを実行させて実現する手段として、撮影するリフィルの少なくともバインダーの商品シリーズとサイズを登録する初期設定手段と、登録されたサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶する撮影手段と、属性情報におけるリフィルの期間の情報を基にリフィルの画像データを検索して表示部に表示する検索手段と、リフィルのカテゴリーを選択するボタンを表示し、ボタンの操作によりリフィルのカテゴリーが選択されると、選択されたリフィルのカテゴリーに応じてリフィルの画像データを切り替えて表示するリフィル表示手段とを有し、リフィル表示手段が、表示されるリフィルの画像データの日付に、カレンダーアプリケーションによってイベント情報が登録されている場合に、リフィルの画像データを表示したリフィル画像における日付の欄にイベントマークを表示することを特徴とする。
【００１３】
本発明は、上記端末において、制御部で手帳アプリケーションを実行させて実現する手段として、イベントマークが表示された日付の欄部分が選択されると、当該日付に対応するイベント情報を表示するイベント表示手段を有することを特徴とする。
【００１４】
本発明は、リフィルには、バインダーの商品シリーズの種類、当該バインダーのサイズ、リフィルの商品のタイプ及びリフィルの年月日の情報を含む管理コードが付され、カメラでリフィルが撮影されてリフィルの画像データを取り込む端末であって、リフィルの画像データを管理する手帳アプリケーションを記憶する記憶部と、手帳アプリケーションを実行する制御部と、実行された手帳アプリケーションの処理内容を表示する表示部とを備え、制御部で手帳アプリケーションを実行させて実現する手段として、撮影するリフィルの少なくともバインダーの商品シリーズとサイズを登録する初期設定手段と、登録されたサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶する撮影手段と、属性情報におけるリフィルの期間の情報を基にリフィルの画像データを検索して表示部に表示する検索手段と、リフィルのカテゴリーを選択するボタンを表示し、ボタンの操作によりリフィルのカテゴリーが選択されると、選択されたリフィルのカテゴリーに応じてリフィルの画像データを切り替えて表示するリフィル表示手段とを有し、リフィル表示手段が、表示されるリフィルの画像データの日付に、写真アプリケーションによって写真データが登録されている場合に、リフィルの画像データを表示したリフィル画像における日付の欄に写真マークを表示することを特徴とする。
【００１５】
本発明は、上記端末において、制御部で手帳アプリケーションを実行させて実現する手段として、写真マークが表示された日付の欄部分が選択されると、当該日付に撮影日が対応する写真データを表示する写真表示手段を有することを特徴とする。
【００１６】
本発明は、リフィルには、バインダーの商品シリーズの種類、当該バインダーのサイズ、リフィルの商品のタイプ及びリフィルの年月日の情報を含む管理コードが付され、カメラでリフィルが撮影されてリフィルの画像データを取り込む端末であって、リフィルの画像データを管理する手帳アプリケーションを記憶する記憶部と、手帳アプリケーションを実行する制御部と、実行された手帳アプリケーションの処理内容を表示する表示部とを備え、制御部で手帳アプリケーションを実行させて実現する手段として、撮影するリフィルの少なくともバインダーの商品シリーズとサイズを登録する初期設定手段と、登録されたサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶する撮影手段と、属性情報におけるリフィルの期間の情報を基にリフィルの画像データを検索して表示部に表示する検索手段と、リフィルのカテゴリーを選択するボタンを表示し、ボタンの操作によりリフィルのカテゴリーが選択されると、選択されたリフィルのカテゴリーに応じてリフィルの画像データを切り替えて表示するリフィル表示手段とを有し、リフィル表示手段が、表示されるリフィルの画像データの日付に、添付ファイルのデータが登録されている場合に、リフィルの画像データを表示したリフィル画像における日付の欄に添付ファイルマークを表示することを特徴とする。
【００１７】
本発明は、上記端末において、制御部で手帳アプリケーションを実行させて実現する手段として、添付ファイルマークが表示された日付の欄部分が選択されると、当該日付に登録された設定日が対応する添付ファイルのデータを表示する添付ファイル表示手段を有することを特徴とする。
【００１８】
本発明は、リフィルには、バインダーの商品シリーズの種類、当該バインダーのサイズ、リフィルの商品のタイプ及びリフィルの年月日の情報を含む管理コードが付され、カメラでリフィルが撮影されてリフィルの画像データを取り込む端末の使用方法であって、制御部で手帳アプリケーションを起動させ、撮影するリフィルの少なくともバインダーの商品シリーズとサイズの登録を受け付ける初期設定処理ステップと、登録されるサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶する撮影処理ステップと、属性情報におけるリフィルの期間の情報を基にリフィルの画像データを検索して表示部に表示する検索処理ステップと、リフィルの画像データを表示する際に、表示されるリフィルの画像データの日付に、カレンダーアプリケーションによってイベント情報が登録されている場合に、リフィルの画像データを表示したリフィル画像における日付の欄にイベントマークを表示するイベントマーク表示処理ステップとを有することを特徴とする。
【００１９】
本発明は、上記端末の使用方法において、イベントマークが表示された日付の欄部分が選択されると、当該日付に対応するイベント情報を表示するイベント表示処理ステップを有することを特徴とする。
【００２０】
本発明は、リフィルには、バインダーの商品シリーズの種類、当該バインダーのサイズ、リフィルの商品のタイプ及びリフィルの年月日の情報を含む管理コードが付され、カメラでリフィルが撮影されてリフィルの画像データを取り込む端末の使用方法であって、制御部で手帳アプリケーションを起動させ、撮影するリフィルの少なくともバインダーの商品シリーズとサイズの登録を受け付ける初期設定処理ステップと、登録されるサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶する撮影処理ステップと、属性情報におけるリフィルの期間の情報を基にリフィルの画像データを検索して表示部に表示する検索処理ステップと、リフィルの画像データを表示する際に、表示されるリフィルの画像データの日付に、写真アプリケーションによって写真データが登録されている場合に、リフィルの画像データを表示したリフィル画像における日付の欄に写真マークを表示する写真マーク表示処理ステップとを有することを特徴とする。
【００２１】
本発明は、上記端末の使用方法において、写真マークが表示された日付の欄部分が選択されると、当該日付に撮影日が対応する写真データを表示する写真表示処理ステップを有することを特徴とする。
【００２２】
本発明は、リフィルには、バインダーの商品シリーズの種類、当該バインダーのサイズ、リフィルの商品のタイプ及びリフィルの年月日の情報を含む管理コードが付され、カメラでリフィルが撮影されてリフィルの画像データを取り込む端末の使用方法であって、制御部で手帳アプリケーションを起動させ、撮影するリフィルの少なくともバインダーの商品シリーズとサイズの登録を受け付ける初期設定処理ステップと、登録されるサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶する撮影処理ステップと、属性情報におけるリフィルの期間の情報を基にリフィルの画像データを検索して表示部に表示する検索処理ステップと、リフィルの画像データを表示する際に、表示されるリフィルの画像データの日付に、添付ファイルのデータが登録されている場合に、リフィルの画像データを表示したリフィル画像における日付の欄に添付ファイルマークを表示する添付マーク表示処理ステップとを有することを特徴とする。
【００２３】
本発明は、上記端末の使用方法において、添付ファイルマークが表示された日付の欄部分が選択されると、当該日付に登録された設定日が対応する添付ファイルのデータを表示する添付ファイル表示処理ステップを有することを特徴とする。
【００２４】
本発明は、リフィルには、バインダーの商品シリーズの種類、当該バインダーのサイズ、リフィルの商品のタイプ及びリフィルの年月日の情報を含む管理コードが付され、カメラでリフィルが撮影されてリフィルの画像データを取り込む端末で動作する手帳アプリケーションであって、端末に、撮影するリフィルの少なくともバインダーの商品シリーズとサイズを登録する初期設定手段、登録されたサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶する撮影手段、属性情報におけるリフィルの年月日の情報を基にリフィルの画像データを検索して表示部に表示する検索手段、リフィルのカテゴリーを選択するボタンを表示し、ボタンの操作によりリフィルのカテゴリーが選択されると、選択されたリフィルのカテゴリーに応じてリフィルの画像データを切り替えて表示すると共に、表示されるリフィルの画像データの日付に、カレンダーアプリケーションによってイベント情報が登録されている場合に、リフィルの画像データを表示したリフィル画像における日付の欄にイベントマークを表示するリフィル表示手段として機能させるためのものである。
【００２５】
本発明は、上記手帳アプリケーションにおいて、端末に、イベントマークが表示された日付の欄部分が選択されると、当該日付に対応するイベント情報を表示するイベント表示手段として機能させるためのものである。
【００２６】
本発明は、リフィルには、バインダーの商品シリーズの種類、当該バインダーのサイズ、リフィルの商品のタイプ及びリフィルの年月日の情報を含む管理コードが付され、カメラでリフィルが撮影されてリフィルの画像データを取り込む端末で動作する手帳アプリケーションであって、端末に、撮影するリフィルの少なくともバインダーの商品シリーズとサイズを登録する初期設定手段、登録されたサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶する撮影手段、属性情報におけるリフィルの年月日の情報を基にリフィルの画像データを検索して表示部に表示する検索手段、リフィルのカテゴリーを選択するボタンを表示し、ボタンの操作によりリフィルのカテゴリーが選択されると、選択されたリフィルのカテゴリーに応じてリフィルの画像データを切り替えて表示すると共に、表示されるリフィルの画像データの日付に、写真アプリケーションによって写真データが登録されている場合に、リフィルの画像データを表示したリフィル画像における日付の欄に写真マークを表示するリフィル表示手段として機能させるためのものである。
【００２７】
本発明は、上記手帳アプリケーションにおいて、端末に、写真マークが表示された日付の欄部分が選択されると、当該日付に撮影日が対応する写真データを表示する写真表示手段として機能させるためのものである。
【００２８】
本発明は、リフィルには、バインダーの商品シリーズの種類、当該バインダーのサイズ、リフィルの商品のタイプ及びリフィルの年月日の情報を含む管理コードが付され、カメラでリフィルが撮影されてリフィルの画像データを取り込む端末で動作する手帳アプリケーションであって、端末に、撮影するリフィルの少なくともバインダーの商品シリーズとサイズを登録する初期設定手段、登録されたサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶する撮影手段、属性情報におけるリフィルの年月日の情報を基にリフィルの画像データを検索して表示部に表示する検索手段、リフィルのカテゴリーを選択するボタンを表示し、ボタンの操作によりリフィルのカテゴリーが選択されると、選択されたリフィルのカテゴリーに応じてリフィルの画像データを切り替えて表示すると共に、表示されるリフィルの画像データの日付に、添付ファイルのデータが登録されている場合に、リフィルの画像データを表示したリフィル画像における日付の欄に添付ファイルマークを表示するリフィル表示手段として機能させるためのものである。
【００２９】
本発明は、上記手帳アプリケーションにおいて、端末に、添付ファイルマークが表示された日付の欄部分が選択されると、当該日付に登録された設定日が対応する添付ファイルのデータを表示する添付ファイル表示手段として機能させるためのものである。
【発明の効果】
【００３０】
本発明によれば、初期設定手段が、撮影するリフィルの少なくともバインダーの商品シリーズとサイズを登録し、撮影手段が、登録されたサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶し、検索手段が、属性情報におけるリフィルの期間の情報を基にリフィルの画像データを検索して表示部に表示し、リフィル表示手段が、リフィルのカテゴリーを選択するボタンを表示し、ボタンの操作によりリフィルのカテゴリーが選択されると、選択されたリフィルのカテゴリーに応じてリフィルの画像データを切り替えて表示し、更に、リフィル表示手段が、表示されるリフィルの画像データの日付に、カレンダーアプリケーションによってイベント情報が登録されている場合に、リフィルの画像データを表示したリフィル画像における日付の欄にイベントマークを表示する端末としているので、手帳のリフィル情報を端末に簡単かつ効率的に取り込むことができ、取り込んだリフィル画像データを容易に検索して表示でき、端末のカレンダーアプリと連動して利便性を向上させることができる効果がある。
【００３１】
本発明によれば、初期設定手段が、撮影するリフィルの少なくともバインダーの商品シリーズとサイズを登録し、撮影手段が、登録されたサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶し、検索手段が、属性情報におけるリフィルの期間の情報を基にリフィルの画像データを検索して表示部に表示し、リフィル表示手段が、リフィルのカテゴリーを選択するボタンを表示し、ボタンの操作によりリフィルのカテゴリーが選択されると、選択されたリフィルのカテゴリーに応じてリフィルの画像データを切り替えて表示し、更に、リフィル表示手段が、表示されるリフィルの画像データの日付に、写真アプリケーションによって写真データが登録されている場合に、リフィルの画像データを表示したリフィル画像における日付の欄に写真マークを表示する端末としているので、手帳のリフィル情報を端末に簡単かつ効率的に取り込むことができ、取り込んだリフィル画像データを容易に検索して表示でき、端末の写真アプリと連動して利便性を向上させることができる効果がある。
【００３２】
本発明によれば、初期設定手段が、撮影するリフィルの少なくともバインダーの商品シリーズとサイズを登録し、撮影手段が、登録されたサイズに対応して最適化された撮影ガイドを表示部に表示し、撮影ガイドに合わせてリフィルが撮影されると、リフィルの画像データを取り込み、サイズに応じてリフィルの画像データの補正を行うと共に、管理コードを読み取ってリフィルの月間、週間又は日間のカテゴリー、リフィルの商品のタイプ、及びリフィルのページ対象となる月、週又は日の期間の情報を属性情報として関連付けて記憶部に記憶し、検索手段が、属性情報におけるリフィルの期間の情報を基にリフィルの画像データを検索して表示部に表示し、リフィル表示手段が、リフィルのカテゴリーを選択するボタンを表示し、ボタンの操作によりリフィルのカテゴリーが選択されると、選択されたリフィルのカテゴリーに応じてリフィルの画像データを切り替えて表示し、更に、リフィル表示手段が、表示されるリフィルの画像データの日付に、添付ファイルのデータが登録されている場合に、リフィルの画像データを表示したリフィル画像における日付の欄に添付ファイルマークを表示する端末としているので、手帳のリフィル情報を端末に簡単かつ効率的に取り込むことができ、取り込んだリフィル画像データを容易に検索して表示でき、リフィル画像の日付に対応する添付ファイルを容易に利用できる効果がある。
【図面の簡単な説明】
【００３３】
【図１】本発明の実施の形態に係る手帳システムの構成ブロック図である。
【図２】初期設定処理のフローチャートである。
【図３】設定画面を示す図である。
【図４】バインダー選択編集画面（１）を示す図である。
【図５】バインダー選択編集画面（２）を示す図である。
【図６】カメラ撮影処理のフローチャートである。
【図７】カメラ撮影画面（１）を示す図である。
【図８】カメラ撮影画面（２）を示す図である。
【図９】カメラ撮影画面（３）を示す図である。
【図１０】リフィル属性情報の概略図である。
【図１１】バインダー検索画面を示す図である。
【図１２】リフィルブラウズ画面（１）を示す図である。
【図１３】リフィルブラウズ画面（２）を示す図である。
【図１４】イベントマーク表示処理を示すフローチャートである。
【図１５】リフィル移動画面を示す図である。
【図１６】イベント・写真の表示選択画面を示す図である。
【図１７】イベントリスト表示画面を示す図である。
【図１８】イベント詳細表示画面を示す図である。
【図１９】イベント・写真表示処理を示すフローチャートである。
【発明を実施するための形態】
【００３４】
本発明の実施の形態について図面を参照しながら説明する。
［（１）実施の形態の概要］
本発明の実施の形態に係る手帳システム（本システム）は、端末にインストールしたリフィルアプリ（リフィルアプリケーションプログラム）を起動して、端末の付属カメラでリフィルを撮影すると、リフィル画像データを取り込み、リフィルに印刷されたリフィル管理コードを認識し、リフィルの属性情報に応じてリフィル画像データを分類して記憶し、端末のカレンダー（スケジュール）機能で登録されているイベントの存在をリフィル画像データの対応する日付にイベントマークで表示し、写真データが撮影日付で登録されていると、当該写真の存在をリフィル画像データの対応する日付に写真マークで表示するもので、紙のリフィルについてスケジュール機能を生かしながら電子情報として保存・管理できると共に、端末のカレンダーアプリ及び写真アプリと連動できるものである。
【００３５】
［（２）本システム：図１］
本発明の実施の形態に係る手帳システム（本システム）の構成について図１を参照しながら説明する。図１は、本発明の実施の形態に係る手帳システムの概略構成図である。
図１（ａ）がリフィルの概略を示し、（ｂ）が端末の表面概略を示し、（ｃ）が端末の裏面概略及び内部構成を示している。
本システムは、図１に示すように、撮影対象のリフィル１と、当該リフィル１を撮影してリフィルの画像データを取り込んで電子情報として管理、利用する端末１０とを基本的に有している。
【００３６】
［本システムの各部］
本システムの各部を具体的に説明する。
［リフィル１］
リフィル１には、図１（ａ）に示すように、月間（Monthly）、週間（Weekly）又は日間（Daily）のカレンダーが印刷され、更に、リフィル管理コードが付されている。リフィル１は、カレンダーが印刷されていないノート（Note）であってもよいが、ノートには管理コードが付されていない。
リフィル管理コードは、端末１０のカメラで撮影された場合に、読み取り可能なフォント、例えば「ＯＣＲ（Optical Character Recognition：光学文字認識）Ａ」フォントで印刷されている。
そのリフィル管理コードには、製品番号、表／裏、年、月日、チェックデジットの情報が含まれている。
【００３７】
ここで、「製品番号」は、バインダー（商品シリーズ）の種類、Ａ５，バイブル，ポケット等のサイズ、「週間-1」「月間-2」「デイリー」等の商品名の情報を特定するものである。
チェックデジットは、読み取りエラーをチェックするためのコードである。
【００３８】
［端末１０］
端末１０は、図１（ｂ）に示すように、表示部１４を備え、カメラ１３、記憶部１２、制御部１１を備えたスマートフォン、タブレット端末、ノートＰＣ等である。
尚、端末１０は、上記構成以外にも電池（バッテリー）、ネットワークに接続する通信部を備えている。
そして、端末１０には、本実施の形態の特徴的なアプリケーション（「リフィルアプリ」又は「手帳アプリ」という）が記憶部１２に記憶され、インストールされている。
端末１０へのインストールは、通常、ネットワークのアプリケーションのストア又はマーケットからダウンロードして取り込む。尚、リフィルアプリは、正式にはリフィルアプリケーションプログラムのことである。
【００３９】
また、端末１０は、行事、予定を登録・管理するカレンダー（スケジュール）機能を実現するアプリを記憶しており、当該アプリ（カレンダーアプリ）が動作可能となっている。カレンダーアプリの動作によって、端末１０の入力画面から行事等を電子的に登録できるようになっている。また、カレンダーへの行事等の設定は、クラウド等のネットワークを介して行ってもよい。
【００４０】
また、端末１０は、写真撮影した写真データを保存・管理するアプリを記憶しており、当該アプリ（写真アプリ）が動作可能となっている。写真データの端末１０への保存は、クラウド等のネットワークを介して行ってもよい。
【００４１】
そして、端末１０の記憶部１２は、本実施の形態に係るリフィルアプリ及びその他のアプリ（カレンダーアプリ、写真アプリ等）を記憶すると共に、スケジュールの行事等のデータを記憶し、カメラ１３で撮影した写真データを記憶し、カメラ１３で読み込んだリフィルの画像データを記憶し、更にリフィルの属性情報も記憶する。
リフィル属性情報は、リフィル画像データに対するリフィル管理コードの情報を含んでいる。
【００４２】
［端末１０で実現される手段］
端末１０の制御部１１がリフィルアプリを動作させて実現する手段として、初期設定手段、バインダー編集手段、カメラ撮影手段、バインダー検索手段、リフィルブラウズ手段、リフィル編集手段、リフィル操作手段、リフィル移動手段、イベント・写真表示手段がある。各手段の詳細は後述する。
尚、初期設定手段による初期設定処理後は、バインダー編集手段、カメラ撮影手段、バインダー検索手段、リフィルブラウズ手段が動作可能なホーム画面に移行する。
【００４３】
［（３）リフィルアプリの処理］
次に、本実施の形態に係るリフィルアプリによって実行される処理について具体的に説明する。
［（３-1）初期設定処理：図２］
初期設定手段によって実行される初期設定処理には、商品シリーズ、サイズの選択・登録処理、タグ設定処理、メール送信先設定処理、ネット系ノートアプリの登録処理がある。
【００４４】
初期設定処理について図２を参照しながら説明する。図２は、初期設定処理のフローチャートである。
図２に示すように、初期設定手段は、まず、商品シリーズ（ブランド）・サイズ選択・登録処理を行い（Ｓ１）、次に、タグ設定処理を行い（Ｓ２）、更に、メールアドレス登録処理（Ｓ３）、ネット系ノードアプリ登録処理を行う（Ｓ４）。
その後、バインダー編集を行うか否かを判定し（Ｓ５）、バインダー編集を行う場合（Ｙｅｓの場合）には、バインダー編集処理を行い（Ｓ６）、バインダー編集処理を行わなければ（Ｎｏの場合）、処理を終了する。
【００４５】
初期設定手段は、商品シリーズ（ブランド）・サイズの選択・登録の処理は、初期設定画面からリフィルの商品シリーズ（ブランド）名を選択し、更にそのブランドの商品サイズを選択して登録することにより、現在使用中のリフィルのブランドとサイズを記憶部１２に記憶し、以降リフィルアプリで撮影・検索されるリフィルのサイズが特定される。
【００４６】
［タグ設定処理：図３］
タグ設定処理について図３を参照しながら説明する。図３は、設定画面を示す図である。
ブランド・サイズの選択・登録の処理が終了すると、初期設定手段は、図３に示す設定画面が表示される。設定画面では、「タグ設定」「メール送信先設定」「ネット系ノートアプリの設定」を行うことができる。
【００４７】
タグ設定処理は、設定画面で「タグ設定」をタップすると、撮影されたリフィル画像データにタグ（テーマ）を付与するものであり、複数のタグを１つのリフィル画像データに設定することが可能である。
メール送信先設定処理（メールアドレス登録処理）は、リフィル画像データをメール添付で送信する場合の送信先を設定する処理である。
ネット系ノートアプリ、例えば、「エバーノート」の登録処理は、リフィル画像データを当該アプリで利用するためのユーザ名、パスワードを設定する処理である。
【００４８】
［（３-2）バインダー編集処理：図４、図５］
バインダー編集手段によって実行されるバインダー編集処理について図４、図５を参照しながら説明する。図４は、バインダーの商品シリーズとサイズからバインダーを選択するバインダー選択編集画面（１）を示す図であり、図５は、バインダー選択後にバインダーを編集するためのバインダー選択編集画面（２）を示す図である。
【００４９】
ネット系ノートアプリ登録処理（Ｓ４）後に、バインダー編集処理が選択されると、図４に示すように、バインダー編集手段は、バインダーリストによるバインダー選択編集画面を表示する。
バインダーリストには、商品シリーズ「Ａ」  聖書サイズ、商品シリーズ「Ａ」  ポケットサイズ、商品シリーズ「Ａ」  Ａ５サイズ、商品シリーズ「Ｂ」  聖書サイズ等が一覧で表示される。
そして、バインダーリストでは、初期設定処理の商品シリーズ（ブランド）・サイズ選択・登録処理で登録されたリフィルにチェックマークが付されている。
【００５０】
バインダーリストからバインダーが選択されると、図５に示すバインダー選択編集画面が表示される。図５の例では、ブランド「Ａ」、サイズ「聖書サイズ」が選択された図である。
「サイズ」の下にある「イメージ」は、バインダーリストを表示する場合に、当該バインダーのイメージを登録、変更するためのものである。
また、バインダーの情報として「リフィルページ数」「リフィル開始日」「リフィル終了日」の情報がバインダーの種類に応じて閲覧可能である。
尚、編集対象のバインダーを削除するためのボタンが設けられ、その「削除」ボタンが選択されると、バインダー編集手段は、バインダーの削除を確認した上でバインダーリストから削除する。
【００５１】
［（３-3）カメラ撮影処理：図６〜９］
カメラ撮影手段によって実行されるカメラ撮影処理について図６〜９を参照しながら説明する。図６は、カメラ撮影処理のフローチャートであり、図７は、カメラ撮影画面（１）を示す図であり、図８は、カメラ撮影画面（２）を示す図であり、図９は、カメラ撮影画面（３）を示す図である。
カメラ撮影処理が開始される前は、本リフィルアプリのホーム画面であり、バインダー編集処理、カメラ撮影処理、バインダー検索処理、リフィルブラウズ処理に移行可能である。
カメラ撮影処理は、図６に示すように、まず、撮影処理を行い（Ｓ１１）、次に画像処理を行い（Ｓ１２）、更に保存処理を行う（Ｓ１３）ものである。
【００５２】
［撮影処理：図７］
撮影処理は、リフィルアプリのホーム画面で「カメラで撮影」を選択すると、端末１０のカメラ１３が動作して撮影画面に移行し、図７に示すように、カメラ撮影手段は、画面四隅に四角の枠（撮影ガイド）を表示する。
撮影ガイドは、初期設定において商品シリーズ・サイズ選択・登録処理で選択・登録したサイズに対応して最適化されており、選択・登録したサイズではないサイズのリフィルを撮影しようとすると、撮影ガイドの四隅の四角に、リフィルの四隅（角部）が収まらないことになる。
つまり、初期設定のサイズ選択・登録によって最適の撮影ガイドを提供するようになっている。
尚、撮影ガイドにおいて四隅を四角としたが、四隅に円形又は扇形状等を表示し、その部分にリフィルの角部を収めるようにしてもよい。
【００５３】
そして、撮影ガイドの四隅の枠にリフィルの四隅が入るように撮影する。撮影した画像について、ユーザが任意に、明るさ、コントラスト、シャープネスの調整を行ってもよい。
ここで、カメラ撮影手段は、撮影ガイドにリフィルの四隅が入った状態で、オートフォーカスを実行し、画面内の任意の場所をタップすると、ピントを合わせた時点でシャッターを切るよう制御してもよい。
【００５４】
［マスク部材］
尚、インデックス付きのリフィルについては、インデックスの凸部があるので、それをマスクする台紙（マスク部材）をリフィルに同梱し、そのマスク部材を用いてインデックスの凸部をマスキングする。当該マスク部材は、リフィルに対してコントラストのある黒等の色を用いることで、リフィルの撮影時に背景色とのコントラストが明確になってリフィル画像データの読み取りが容易になるものである。
【００５５】
［画像処理：図８］
画像処理は、撮影された画像の四隅から、リフィルの色と周囲の色とのコントラストの違いを識別し、四隅の角の位置を特定し、特定された角の位置から画像内のリフィル部分のみを切り出す。切り出した画像が長方形でない場合（図７では台形に歪んでいる）は、カメラ撮影手段が、角部分を長方形の角部分となるよう水平方向又は垂直方向に角部を引き延ばしたり縮めたりしてリフィルと同じサイズ比となるよう画像の補正を行う。
【００５６】
画像の補正は、初期設定において商品シリーズ・サイズ選択・登録処理で選択・登録したサイズに対応して縦横の比率、又は縦横の長さを決定し、その比率又は長さとなるよう調整する。つまり、初期設定でサイズを選択・登録することで、リフィルのサイズに応じた画像補正を容易に行うことができるものである。
【００５７】
更に、切り出した画像に対して、明るさ、コントラスト、シャープネスの自動調整を行う。
カメラ撮影手段は、自動調整された画像のリフィル管理コードが印刷された箇所に対してＯＣＲ処理（文字読み取り処理）を行い、リフィル管理コードを読み取り、リフィルの属性を取得する。リフィル管理コードの読み取りも、初期設定で商品シリーズとサイズが選択・登録されるので、初期設定の商品シリーズに対応して読み取る位置が予め特定でき、リフィル管理コードを容易に読み取ることができるものである。
尚、上述のように、画像の補正、調整を終了してからリフィル管理コードのＯＣＲ処理を行ってもよいが、画像の補正、調整をしながらリフィル管理コードのＯＣＲ処理を行ってもよい。
【００５８】
リフィル管理コードが認識されると、図８に示すように、「認識ＯＫ」が表示される。リフィル管理コードが認識されなければ「認識ＯＫ」は表示されないが、画像の補正、調整されたリフィル画像データは「この画像を保存」のボタンをタップ（選択）すると記憶部１２に保存される。この場合、リフィル管理コードに相当する情報は、ユーザが手動で設定することになる。
リフィルがノートの場合、リフィル管理コードがリフィルに印刷されていないので、リフィル管理コードが認識されないことになる。この場合、ページ開始日にリフィル撮影日のデータを自動的に設定するようにしている。その他のリフィル管理コードの情報はユーザが設定するものであり、自動設定されたページ開始日も変更可能である。
【００５９】
ここで、ユーザが手動でリフィル管理コードに相当する情報を設定する場合、リフィルのタイプの情報は「月間-1」等と入力する必要があるが、ユーザがタイプの情報を正確に把握していないことも考えられるので、ユーザがタイプの項目を選択した場合に、タイプの情報に対応するサンプルリフィルの画像を表示して、そのサンプルリフィルの画像を参照しながらタイプの情報を正確に入力させるようにしている。
また、撮影したリフィルが誤って別のものを撮影した場合には、「再撮影」ボタンをタップすることで、再撮影を行うことができる。
【００６０】
［保存処理：図９］
カメラ撮影手段は、ＯＣＲ処理で読み取ったリフィル管理コードと、初期設定機能で設定されたタグ情報、コメント情報からリフィル属性情報を取得し、画像処理されたリフィル画像データをリフィル属性情報に対応付けて記憶部１２に保存（登録）する。
リフィルの登録には、端末１０の表示画面にリフィル属性情報が表示され、その内容を確認して「保存」ボタンをタップして保存を行う。
【００６１】
リフィルの登録は、リフィル属性情報を設定するものであり、図９に示すように、カテゴリー、タイプ、おもて／うら、ページ対象月、タグ情報、コメントであり、例えば、カテゴリーは「マンスリー（月間）」、タイプは「月間-1」、おもて／うらは「おもて（右）」、ページ対象月は「２０１３／０１」となる。
ページ対象月は、カテゴリーが「月間」であるため「対象月」が設定されるが、カテゴリーが「週間」又は「日間」であれば「ページ開始日」、例えば、「２０１２／０５／１８」が設定されることになる。
【００６２】
［リフィル属性情報：図１０］
リフィル属性情報について図１０を参照しながら説明する。図１０は、リフィル属性情報の概略図である。
リフィル属性情報は、図１０に示すように、リフィル管理コードの情報と、タグ情報、コメント情報で構成され、リフィル管理コードの情報は、カテゴリー、タイプ、おもて／うら、ページ対象月である。
【００６３】
タグ情報は、初期設定のタグ情報の中から必要であれば選択してリフィル画像データに関連付けて設定する。
コメント情報は、ユーザが任意に入力するテキスト等の情報であり、リフィル画像データに関連付けて設定する。
尚、リフィル管理コードがＯＣＲ処理で正常に読み取られれば、図９のリフィル登録画面では、リフィル管理コードの情報に相当するカテゴリー、タイプ、おもて／うら、ページ対象月等の情報が自動的に表示され、ユーザは容易に登録動作を行うことができる。
また、リフィル管理コードがＯＣＲ処理で正常に読み取られた場合は、リフィル登録において、リフィル管理コードを変更できないように制限してもよい。
【００６４】
リフィルは、何度でも撮影して保存できるものであり、同じリフィル管理コードの情報が読み取られた場合には、上書きを行うか否かをユーザに確認した上で、撮影日時が新しい（最新の）リフィル画像データを保存する。これにより、最新のリフィル画像データが常に保存されることになる。
【００６５】
［（３-4）バインダー検索処理：図１１］
バインダー検索手段によって実行されるバインダー検索処理は、複数のバインダーから検索対象のバインダーを１つ又は複数選択するものであり、バインダー指定検索処理、コメント指定検索処理、期間指定検索処理、タグ指定検索処理、検索結果表示処理がある。
バインダー検索処理について図１１を参照しながら説明する。図１１は、バインダー検索画面を示す図である。
【００６６】
［バインダー指定検索処理］
バインダー指定検索処理は、検索対象のバインダーを指定して検索する処理である。
図１１では、検索「対象バインダー」が「すべて」になっているが、「対象バインダー」部分をタップすると、検索対象のバインダーのリストが表示され、その中から対象バインダーを選択して、「検索」ボタンをタップすると、バインダー指定検索を実行する。
【００６７】
［コメント指定検索処理］
コメント指定検索処理は、カメラ撮影処理の保存処理においてリフィル登録の際にリフィル属性情報のコメント欄にコメントが記載されているリフィルについて、コメント欄に記載された文字列に対して、文字列を指定してバインダーを検索する処理である。
図１１では、コメントを「指定しない」に設定しているが、この部分をタップして文字列を入力し、「検索」ボタンをタップすると、コメント指定の検索が実行される。
【００６８】
［期間指定検索処理］
期間指定検索処理は、開始日と終了日を入力し、期間を指定して該当する期間のバインダーを検索する処理である。
図１１では、開始日と終了日に「指定しない」が設定されているが、この部分をタップすると、期間を指定することができ、「検索」ボタンをタップすると、期間指定のバインダー検索が実行される。
【００６９】
［タグ指定検索処理］
タグ指定検索処理は、初期設定処理で設定されたタグを指定して該当するバインダーを検索する処理である。
図１１では、タグについて「指定しない」が設定されているが、この部分をタップすることで、初期設定されたタグが複数表示され、その中から１つ又は複数のタグを選択して指定し、「検索」ボタンをタップすると、タグ指定のバインダー検索が実行される。
【００７０】
［検索結果表示処理］
検索結果は、カテゴリー毎で時系列にリスト表示される。
検索結果のリストには、検索したリフィル画像の縮小画像（サムネイル）と、期間とカテゴリー（例えば、「マンスリー（月間）」等）の項目（リフィル項目）が表示される。つまり、リフィル項目は、期間とカテゴリーで特定される項目である。
そして、リスト表示から１つのリフィル項目が選択されると、バインダー表示手段が、対応するリフィル画像データを表示する。
検索されたリフィル画像データに対して、リフィル画像データの削除、リフィル属性情報の編集、メール添付、フォトアルバムへの書き出し（カメラロールに保存）、ネット系ノートアプリへの投稿を行うことができる。
【００７１】
［（３-5）リフィルブラウズ処理：図１２，図１３］
リフィルブラウズ手段によって実行されるリフィルブラウズ処理には、ブラウズ処理、カテゴリー切り替え表示処理、見開き表示処理、カレンダーアプリ連動処理、写真アプリ連動処理がある。
リフィルブラウザ処理について図１２、図１３を参照しながら説明する。図１２は、リフィルブラウズ画面（１）を示す図であり、図１３は、リフィルブラウズ画面（２）を示す図である。
【００７２】
［ブラウズ処理：図１２］
ブラウズ処理は、検索されたリフィル項目を選択してリフィル画像データの表示を指示すると、図１２に示すようなブラウズ画面となり、リフィルブラウズ手段は、スワイプによるページ送り、リフィル外の左右領域のタップによるページ送り、ピンチ操作による拡大／縮小表示、画面の長押しによる全画面切り替え、タイトルバーのタップでページ移動スライダーを表示してページ移動を行い、リフィルの日付、ページ数をタイトルバーに表示させる。
【００７３】
［カテゴリー切り替え表示処理］
カテゴリー切り替え表示処理は、図１２に示すように、画面左側に表示されたカテゴリー、月（Monthly）、週（Weekly）、日（Daily）、ノート（Note）のタブをタップしてカテゴリーに応じたリフィル画像データに切り替え表示を行う。
画面左側のカテゴリー事項の部分には、位置情報を保持しており、特定のカテゴリーが選択されると、その位置情報に対応するカテゴリーの対応する期間のリフィル画像データを表示する。
例えば、カテゴリー「月」のリフィル画像が表示されているとすると、カテゴリー「週」が選択されると、その月に属する週のリフィル画像が表示される。
また、カテゴリー「週」のリフィル画像が表示されているとすると、カテゴリー「月」が選択されると、その週が含まれる月のリフィル画像が表示される。
【００７４】
［見開き表示処理：図１３］
見開き表示処理は、端末の表示画面を縦方向から横方向にした場合に、図１３に示すように、リフィル画像データを見開き表示にする。見開きの片方しかない場合は、見開きの他方にはダミーページを表示する。
リフィルブラウズ手段は、見開き表示の場合、左右のいずれのリフィル画像をタップすると、そのページがカレント状態となり、そのページの脇（リフィル外の横方向の領域）にチェックマークを表示する。
【００７５】
リフィル画像データは、リフィル属性情報のリフィル管理コードの情報として、「おもて／うら」「ページ対象月」の情報を保持しているので、リフィル画像データが特定月の見開きの左右いずれかを判別できる。従って、リフィル管理コードの情報を基に、リフィル画像の見開き配置（表示）を実現できる。
また、端末の表示画面を横方向にして見開き表示とした状態から、表示画面を縦方向にした場合に、カレント状態のリフィル画像が単独で表示されるようにしている。これにより、見開き表示及び単独表示において、カレント状態のリフィル画像が表示され、目標とする日付を中心としてスケジュールの確認を容易に行うことができる。
【００７６】
［カレンダーアプリ連動処理：図１２，１３］
カレンダーアプリ連動処理は、表示中のリフィル画像に対して、各日付に対応するイベント情報（スケジュール項目又は予定事項）が端末１０の「カレンダー」アプリに登録されている場合は、リフィル画像の日付の欄に第１のマーク（イベントマーク）を表示する。例えば、第１のマークとしてオレンジ色の丸のマークを表示する。第１のマークの代わりに図柄に特徴があるカレンダーのイベントアイコンを表示してもよい。
図１２，１３は白黒図面であるため、分かり易くするために、第１のマークを丸ではなく、星印で表記している。
【００７７】
イベントマーク又はイベントアイコンとしては、イベント情報がプライベートとビジネスに分けられるものであれば、プライベート用とビジネス用を異なるマーク又はアイコンとすることが考えられる。
また、イベント情報がアラート的なものとそうでないものでは、マーク又はアイコンを異なるものとしてもよい。
【００７８】
具体的には、リフィル画像の日付欄の領域には位置情報を持たせており、位置情報と日付（年月日）が対応付けられて記憶されており、更に日付には対応するカレンダーアプリのイベント情報が記憶されている。よって、日付にイベント情報が存在する場合には、第１のマークを日付の欄にマッピングして表示する。
これにより、リフィル画像の○月△日の日付欄に第１のマークが表示されていれば、その日には、カレンダーアプリによって設定されたイベント情報が存在することになる。
尚、日付に対応して記憶されるイベント情報は、イベント情報そのものであってもよいし、イベント情報のインデックスを集めたイベントリストであってもよい。
【００７９】
上述したように、リフィル画像データには、リフィル属性情報が関連付けられて記憶されており、リフィル属性情報のカテゴリー、タイプ、おもて／うら、ページ対象月の情報によって、日付（年月日）の情報と日付欄の位置情報を対応付けて記憶している。
位置情報は、日付欄のエリアの情報であってもよいし、日付欄の特定ポイント（特定点）を示す情報であってもよい。
【００８０】
［イベントマーク表示処理：図１４］
第１のマーク（イベントマーク）の表示処理について図１４を参照しながら説明する。図１４は、イベントマーク表示処理を示すフローチャートである。
イベントマークの表示処理は、図１４に示すように、リフィルブラウズ手段が、カレンダーのアプリから表示期間のイベント情報を取得し（Ｓ２１）、リフィルの表示日（日付）に相当する位置にイベントマークを表示する（Ｓ２２）。
【００８１】
処理Ｓ２１の表示期間は、端末１０の表示部１４に表示されるリフィル画像の期間となる。従って、図１２では、１枚のリフィルに表示されている日付についてイベント情報を取得してイベントマークを表示する処理を行う。
この表示期間の情報も、リフィル属性情報から得られるものである。
【００８２】
［写真アプリ連動処理］
写真アプリ連動処理は、表示中のリフィル画像に対して、各日付に対応する写真データが端末１０の「写真」アプリに登録されている場合は、リフィルブラウズ手段が、リフィル画像の日付の欄に第２のマーク（写真マーク）を表示する。例えば、青色の丸のマークを表示する。第２のマークの代わりに図柄に特徴がある写真アイコンを表示してもよい。
【００８３】
写真アプリ連動処理でも、カレンダーアプリ連動処理と同様に、リフィル画像の日付欄の領域には位置情報を持たせており、位置情報と日付（年月日）が対応付けられて記憶されており、更に日付には撮影日が該当する写真アプリの写真データが記憶されている。よって、日付に写真データが存在する場合には、第２のマークを日付の欄にマッピングして表示する。
【００８４】
但し、カレンダーアプリ連動処理の場合は、イベント情報が日付で管理されているため、図１４の処理のように、リフィル画像データを表示する毎にイベント情報を取得して表示すればよいが、写真アプリ連動処理では、写真データが写真記憶領域にまとめて保存されているので、その領域内の写真データの撮影日を全ての写真について検索してリフィル画像の日付の欄に第２のマークを表示することになる。
【００８５】
そこで、リフィル画像における日付と写真マークとの最初の連動処理では、全ての写真データに対して撮影日を検索し、写真データのサムネイルデータと、ファイル名と撮影日とを関連付けたインデックスを生成する。
更に、後述するイベント・写真表示手段が、写真データの更新を行う「更新」ボタンをタップすることで、再度、全ての写真データに対して撮影日を検索し、写真データのサムネイルデータと、ファイル名と撮影日とを関連付けたインデックスを再生成して、写真データの更新を行う。
リフィルブラウズ手段が、リフィル画像の日付の欄に写真マークを表示するのは、上記インデックスを参照して行う。
【００８６】
尚、上記インデックスについては、リフィルブラウズ手段又はリフィルアプリによって実現される別の手段によって、写真データのサムネイルに関するインデックスを予め生成して、写真データの更新を反映させるようにし、そのインデックスに基づいて第２のマークの表示処理を行えば処理を高速化できる。
ここで、インデックスは、写真データのサムネイル、ファイル名と撮影日を関連付けたテーブルであり、写真データの生成でサムネイル、ファイル名と撮影日が設定され、写真データの削除でサムネイル、ファイル名と撮影日が削除されるようにしておく。
【００８７】
そして、カレンダーアプリ連動処理又は写真アプリ連動処理は、表示中のリフィル画像についてマークがある日付部分又はマーク部分をタップすると、リフィルブラウズ手段が、その日付に関連するスケジュール（イベント）又は写真の表示メニューを表示し、いずれかの表示が選択されると、対応するアプリでイベント又は写真の表示が為される。詳細は後述する。
【００８８】
［（３-6）リフィル編集処理］
リフィル編集手段によって実行されるリフィル編集処理は、表示中のリフィル画像に対する属性情報を表示し、属性情報の編集、リフィル画像の削除等を行う。
リフィル編集を行うリフィル編集画面は、図９に示したリフィル登録画面に表示した項目が表示され、属性情報の編集を行うものである。
尚、リフィル管理コードをＯＣＲ処理で正常に読み込んで登録された属性情報については、登録の重複及び登録の誤りを防ぐために、編集できないよう制限するようにしてもよい。
【００８９】
［（３-7）リフィル検索処理］
リフィル検索手段によって実行されるリフィル検索処理は、表示中のリフィル画像が含まれるバインダーの中から、１年前、３年前、特定年月日の条件を指定してリフィルを検索するものである。
【００９０】
［（３-8）リフィル操作処理］
リフィル操作手段によって実行されるリフィル操作処理は、表示中のリフィル画像に対して、メール添付、アルバムへの保存、ネット系ノートアプリへのアップロード等を行うものである。
メール添付、ネット系ノートアプリへのアップロード等は、初期設定されたメール送信先等の情報に従って行われるものである。
【００９１】
［（３-9）リフィル移動処理：図１５］
リフィル移動手段によって実行されるリフィル移動処理は、表示中のリフィル画像に対して、「日付を指定して移動」「本日へ移動」「最古のページに移動」「最新のページに移動」「１年前へ移動」「１年後へ移動」を選択して、対応する移動を行うものである。
リフィル移動処理について図１５を参照しながら説明する。図１５は、リフィル移動画面を示す図である。
リフィル移動画面には、図１５に示すように、上記事項による移動項目が用意されており、各項目を選択することで容易に移動を行うことができる。
【００９２】
この場合も、リフィル画像データがリフィル属性情報を記憶しているため、当該リフィル属性情報に基づいて指定された移動先を検索して移動処理を行う。
また、「最古のページに移動」又は「最新のページに移動」の場合は、リフィル属性情報のページ対象月、ページ開始日と「おもて／うら」の情報から最古又は最新のものを検索して、該当するリフィル画像データに移動する。
【００９３】
［（３-10）イベント・写真表示処理：図１６〜１９］
イベント・写真表示手段によって実行されるイベント・写真表示処理は、リフィル画像の指定日付に登録されているスケジュール（イベント情報）を「カレンダー」アプリから読み出してリスト表示する。
リストからイベント情報が選択されると、端末１０のカレンダーアプリが動作してイベントの詳細が表示され、イベントの追加、編集、削除を行うことが可能となる。
イベント・写真表示処理について図１６〜１９を参照しながら説明する。図１６は、イベント・写真の表示選択画面を示す図であり、図１７は、イベントリスト表示画面を示す図であり、図１８は、イベント詳細表示画面を示す図であり、図１９は、イベント・写真表示処理を示すフローチャートである。
【００９４】
［イベント・写真の表示選択画面：図１６］
イベント・写真表示手段は、表示されているリフィル画像の特定日付に表示されているマーク部分（イベントマーク、写真マーク）がタップ（選択）されると、図１６のイベント・写真の表示選択画面を表示する。
イベント・写真の表示選択画面は、選択された日付情報が表示され、「イベントを表示」と「写真を表示」のボタン、更に「キャンセル」ボタンが表示される。
【００９５】
イベントマークと写真マークは、小さい日付欄に表示されるので、その部分をタップした場合には、イベント表示と写真表示を選択できるようにしている。尚、「キャンセル」ボタンを選択すると、以前表示していたリフィル画像の表示に戻る。
【００９６】
［イベントリスト：図１７］
そして、図１６のイベント・写真の表示選択画面において、「イベントを表示」のボタンが選択されると、イベント・写真表示手段は、図１７に示すイベントリストを表示する。
尚、図１７では、該当する年月日にイベントが１つしかエントリーされていないため、イベントリストには１つのイベント情報が表示される。該当する年月日にイベントが複数エントリーされていれば、イベントリストにも複数のイベント情報が表示される。
【００９７】
ここで、図１７における「完了」ボタンをタップ（選択）されると、イベント・写真表示手段は、イベントリスト表示画面を終了し、リフィルブラウズ手段に制御を移行し、リフィル画像のブラウズ画面に戻るようになっている。
また、図１７の「＋」ボタンがタップ（選択）されると、イベント・写真表示手段は、端末１０のカレンダーアプリを動作させ、イベント情報の追加を行うことができる。そして、カレンダーアプリでイベント情報の追加が為され、カレンダーアプリを終了すると、イベント・写真表示手段に制御が移行し、イベント情報が追加されたイベントリスト表示画面を表示する。
【００９８】
［イベント詳細表示：図１８］
図１７のイベントリストからイベント情報が選択されると、イベント・写真表示手段は、端末１０のカレンダーアプリを動作させ、図１８に示すようなイベントの詳細情報を表示する。
イベントの詳細情報は、「編集」ボタンをタップすることで編集画面に移行し、編集可能となる。但し、編集処理は、端末１０のカレンダーアプリが行う。
尚、図１８の左上の日付部分（２０１３／９／１９）をタップすると、リフィルブラウズ手段に制御を移行し、リフィル画像のブラウズ画面に戻るようになっている。
【００９９】
［写真表示処理］
また、イベント・写真表示手段によって実行される写真表示処理は、写真アプリに登録されている写真を全件チェックし、写真撮影の日付情報を取得して記憶部１２に記憶する。写真撮影の日付情報は、リフィルブラウズ手段に引き継がれ、リフィル画像データの日付の欄に第２のマークが表示される。
指定日付に登録されている写真データがある場合、イベント・写真表示手段は、上述したインデックスを参照してサムネイルを一覧表示し、その中から１つのサムネイルがタップ（選択）されると、写真アプリを動作させ、写真画像を表示させる。
【０１００】
尚、写真データの更新は、上述したように、イベント・写真表示手段が、サムネイル一覧を表示した状態で、画面下側の「更新」ボタンをタップすると、インデックスを更新することで為される。
イベント・写真表示手段が、写真記憶領域の写真データを検索し、写真データのサムネイルデータ、ファイル名、撮影日を取得し、それらの情報を基にインデックスの更新を行う。
【０１０１】
［イベント・写真表示処理：図１９］
イベント・写真表示手段によるイベント・写真表示処理は、図１９に示すように、表示中のリフィル画像においてタップされた日付部分にマークがあるか否かを判定し（Ｓ３１）、マークがなければ（Ｎｏの場合）、処理Ｓ３１に戻る。
マークがあれば（Ｙｅｓの場合）、イベント・写真表示手段は、イベント・写真の表示選択画面を表示する（Ｓ３２）。
【０１０２】
次に、イベント・写真表示手段は、イベント表示が選択されたか否かを判定し（Ｓ３３）、イベント表示が選択されたならば（Ｙｅｓの場合）、対応する日付におけるイベント一覧を表示する（Ｓ３４）。
更に、一覧からイベントが選択されたか否かを判定し（Ｓ３５）、選択されていなければ（Ｎｏの場合）、処理Ｓ３５に戻り、選択されたならば（Ｙｅｓの場合）、イベントの詳細を表示させ（Ｓ３６）、処理を終了する。
【０１０３】
また、処理Ｓ３２で、イベント表示が選択されなかった場合（Ｎｏの場合）、イベント・写真表示手段は、写真表示が選択されたか否かを判定する（Ｓ３７）。
処理Ｓ３７で写真表示が選択された場合（Ｙｅｓの場合）、対応する日付における写真一覧を表示する（Ｓ３８）。次に、イベント・写真表示手段は、その一覧から写真が選択された否かを判定し（Ｓ３９）、選択されなければ（Ｎｏの場合）、処理Ｓ３９を繰り返し、選択されれば（Ｙｅｓの場合）、写真の詳細を表示し（Ｓ４０）、処理を終了する。
【０１０４】
また、処理Ｓ３７で写真表示が選択されなかった場合（Ｎｏの場合）、イベント・写真表示手段は、キャンセルが指示されたか否かを判定し（Ｓ４１）、キャンセルが指示されなければ（Ｎｏの場合）、処理Ｓ３３に戻り、キャンセルが指示されれば（Ｙｅｓの場合）、処理Ｓ３１に戻るようになっている。
【０１０５】
［（４）実施の形態の効果］
本システムによれば、リフィルアプリを起動して、端末１０の付属カメラ１３でリフィル１を撮影すると、リフィル画像データを取り込み、リフィル１に印刷されたリフィル管理コードを認識し、リフィルの属性情報に応じてリフィル画像データを分類して記憶し、端末１０のカレンダー（スケジュール）機能で登録されているイベントをリフィル画像データの対応する日付にイベントマークで表示し、写真データが撮影日付で登録されていると、当該写真をリフィル画像データの対応する日付に写真マークで表示するものとしているので、紙のリフィル１を電子情報として容易に保存し、検索容易に管理できると共に、端末１０のスケジュールアプリ及び写真アプリと連動でき、利便性を向上させることができる効果がある。
【０１０６】
［応用例１］
本システムでは、端末１０の付属カメラ１３で撮影したリフィル画像データを属性情報と関連付けて端末１０内の記憶部１２に記憶するようになっているが、端末１０内の記憶部１２ではなく、ネットワーク（クラウド）上のサーバ等に記憶し、リフィルアプリの動作によってサーバ等にアクセスして表示対象のリフィル画像データを検索して表示部１４に表示するようにしてもよい。この場合、リフィルアプリのほとんどの機能はサーバ等で実現され、端末１０側では、入出力のインタフェース部分のプログラムが動作するものとなる。
【０１０７】
また、端末１０にはＷｅｂブラウザの機能を備え、クラウド上のサーバ等ではリフィル画像データ及び属性情報を記憶し、更にサーバでリフィルアプリを動作させ、当該サーバがＷｅｂサーバとして動作して、端末１０のＷｅｂブラウザの表示画面に入出力の画面を表示するようにしてもよい。
【０１０８】
［応用例２］
本システムでは、写真アプリと連動して、表示中のリフィル画像に対して、日付の欄に第２のマーク（写真マーク）を表示するようにしているが、受信した電子メールの添付ファイル、例えばＰＤＦファイルをリフィルアプリで取り込み、日付に対応付けて記憶部１２に記憶し、リフィルブラウズ手段により表示されるリフィル画像の対応する日付の欄に第３のマーク（添付ファイルマーク）を表示させるようにしてもよい。第３のマークの代わりに添付ファイルアイコンを表示してもよい。
【０１０９】
端末１０でメール受信を行い、ＰＤＦファイルが添付されている場合に、リフィルアプリを起動して当該添付ファイルを記憶部１２に保存する動作を行う。この場合に、添付ファイルについて第３のマークを表示する日付欄の日付（設定日付）に関連付けて保存する。当該設定日付は、メール受信日でもよいし、将来の日付（将来予定される会議の日付）であってもよい。
【０１１０】
つまり、記憶部１２には、設定日付と添付ファイルのファイル名とを対応付けるテーブルであるインデックスが生成されている。
そして、リフィルブラウズ手段又はリフィルアプリによって実現される別の手段によって、記憶部１２に添付ファイルを格納する際に、インデックスに設定日付とファイル名を追加する。
【０１１１】
また、リフィル画像の日付の欄に表示された第３のマークの部分又はその日付部分をタップすると、リフィルブラウズ手段が、その日付に関連する添付ファイルの表示メニューを表示し、いずれかの添付ファイルが選択されると、添付ファイルの内容（データ）の表示を行う。
表示メニューは、インデックスにおける設定日付が日付欄の当該日付である添付ファイルのリストとなる。当該日付に設定されている添付ファイルが１つであれば、１つの添付ファイル名が表示メニューに表示される。
【０１１２】
リフィル画像データには、上述したように、リフィル属性情報が関連付けられて記憶部１２に記憶されており、そのリフィル属性情報によって日付（年月日）の情報と日付欄の位置情報が対応付けられている。
【０１１３】
ここで、表示メニューから選択された添付ファイルの内容の表示は、当該添付ファイルが対応する別のアプリで表示するようにしてもよい。例えば、添付ファイルが文書ファイルであれば文書用のアプリで、添付ファイルが表計算ファイルであれば表計算用のアプリで、添付ファイルがプレゼンテーションのファイルであればプレゼンテーション用アプリで、開いて内容を表示してもよい。
添付ファイルの内容を表示する手段（添付ファイル表示手段）は、上記別のアプリ又はリフィルアプリが制御部１１で実行されて実現されるものである。
【０１１４】
このように、受信メールの添付ファイルを日付に関連付けて記憶し、リフィル画像の日付欄に第３のマークを表示することにより、会議が開催される日の日付欄に、関連する会議資料を添付ファイルで記憶させておくことができ、日付に対応する添付ファイルを容易に利用できる。
後日、リフィルアプリを起動してリフィルブラウズ手段でリフィル画像を表示して、会議があった日付から関連する会議資料を表示させることが容易にできる効果がある。
【０１１５】
尚、日付欄に、場合によっては、第１のマーク、第２のマーク、第３のマークの全てが表示されることがある。その場合に、日付欄若しくはマーク部分をタップすると、ユーザが選択希望でないマークが選択されてしまうことがある。
そこで、日付欄又はマーク部分をタップした場合に、３つのマークが表示されている場合には、カレンダーアプリ連動処理、写真アプリ連動処理、添付ファイル表示処理のいずれかを選択できるガイダンス画面を表示して、ユーザに選択させるようにしてもよい。
【０１１６】
リフィル画像データ、属性情報、写真データ、添付ファイルのデータを端末１０の記憶部１２に記憶するのではなく、ネットワーク（クラウド）上のサーバ等に記憶し、リフィルアプリの動作によってサーバ等にアクセスして表示対象のリフィル画像データを検索して表示部１４に表示し、更に写真データ又は添付ファイルを表示するようにしてもよい。この場合、リフィルアプリのほとんどの機能はサーバ等で実現され、端末１０側では、入出力のインタフェース部分のプログラムが動作するものとなる。
【０１１７】
また、端末１０にはＷｅｂブラウザの機能を備え、クラウド上のサーバ等ではリフィル画像データ及び属性情報、写真データ、添付ファイルを記憶し、更にサーバでリフィルアプリを動作させ、当該サーバがＷｅｂサーバとして動作して、端末１０のＷｅｂブラウザの表示画面に入出力の画面を表示するようにしてもよい。
【産業上の利用可能性】
【０１１８】
本発明は、手帳のリフィル情報を端末に簡単かつ効率的に取り込むことができ、更に端末のカレンダーアプリ又は写真アプリと連動して利便性を向上させた手帳システム及びその使用方法に好適である。
【符号の説明】
【０１１９】
１...リフィル、  １０...端末、  １１...制御部、  １２...記憶部、  １３...カメラ、  １４...表示部
【図１】
2015043212.tif 000003
【図２】
2015043212.tif 000004
【図３】
2015043212.tif 000005
【図４】
2015043212.tif 000006
【図５】
2015043212.tif 000007
【図６】
2015043212.tif 000008
【図７】
2015043212.tif 000009
【図８】
2015043212.tif 000010
【図９】
2015043212.tif 000011
【図１０】
2015043212.tif 000012
【図１１】
2015043212.tif 000013
【図１２】
2015043212.tif 000014
【図１３】
2015043212.tif 000015
【図１４】
2015043212.tif 000016
【図１５】
2015043212.tif 000017
【図１６】
2015043212.tif 000018
【図１７】
2015043212.tif 000019
【図１８】
2015043212.tif 000020
【図１９】
2015043212.tif 000021